(57)【特許請求の範囲】
【請求項１】
被乾燥物を乾燥する容器と、この容器を囲繞し容器の側壁に熱媒を供給するように設けられたジャケットと、このジャケットに熱媒を導入および排出する熱媒入口および熱媒出口と、前記容器内において底部中央から立設され容器側壁との間に環状の被乾燥物通路を形成するセンターピラーと、前記容器に振動を与えるように設けられた振動発生装置と、よりなる振動乾燥装置において、容器内の底面に、センターピラーを中心とする同心円状に連続ベーンプレートが、一列又は複数列設けられ、該連続ベーンプレートには、貫通穴が設けられていることを特徴とする振動乾燥装置。
【請求項２】
被乾燥物を乾燥する容器と、この容器を囲繞し容器の側壁に熱媒を供給するように設けられたジャケットと、このジャケットに熱媒を導入および排出する熱媒入口および熱媒出口と、前記容器内において底部中央から立設され容器側壁との間に環状の被乾燥物通路を形成するセンターピラーと、前記容器に振動を与えるように設けられた振動発生装置と、よりなる振動乾燥装置において、容器内の底面及び／又は側壁に、あるいはこれにセンターピラー周面も含め、連続ベーンプレートとリーフプレート又は短翼型ガイドプレートが組み合わせて設けられ、連続ベーンプレートには貫通穴が設けられていることを特徴とする振動乾燥装置。
【発明の詳細な説明】
【０００１】
【発明の属する技術分野】
本発明は、粉状体、ウエットケーキ等の被乾燥物（被処理物）を、振動および加熱により均一な品質に乾燥させる振動乾燥装置に関する。
【０００２】
【従来の技術】
従来、図７に示すような振動乾燥装置が提案されている。同図において、１０１は乾燥機本体で、防振ゴム等の弾性体１０７を介して支柱１０８上に支持されている。乾燥機本体１０１を構成する円筒状の容器１０２は、側壁（底部、上壁も含む）をジャケット１０３が覆った構造で、容器１０２内の底部中央にはセンターピラー１０４が立設され、側壁との間に環状の被乾燥物通路１０５が形成され、ここを被乾燥物Ｇが振動により移動する。
【０００３】
容器１０２の上部には投入口１０９が設けられ、下部には排出弁１１０を介して排出口１１１が開口し、また頂部には排気口１１２が設けられて、フレキシブルチューブ１１３を介して系外に連結されている。また、ジャケット１０３の上部には熱媒入口１１４が設けられ、下部には熱媒出口１１５が設けられ、それぞれにフレキシブルチューブ１１６、１１７を介して系外の熱媒源に連結されている。
【０００４】
さらに、乾燥機本体１０１の下部両側には、容器１０２の周壁に沿って傾斜方向に振動を与えるように、２個の振動発生装置１１８、１１９が交差する方向に設けられている。この振動発生装置１１８、１１９は、容器１０２の下部両側に交差する方向に傾斜して取付けられた２個のモータの回転軸の両端に重錘を取付けて、水平方向の分力を打消し合うよう回転させ、それぞれの重錘により容器１０２にその周壁に沿った傾斜方向の直線振動を与えるようになっている。
【０００５】
このように構成された振動乾燥装置においては、投入口１０９から被乾燥物を投入し、ジャケット１０３に熱媒入口１１４から熱媒を導入し、熱媒出口１１５から排出して、容器１０２内の被乾燥物を加熱すると共に、振動発生装置１１８、１１９を駆動させる。この振動発生装置１１８、１１９の駆動により容器１０２に振動が与えられ、この容器１０２の振動により被乾燥物は周壁に沿った傾斜方向の振動を与えられ、容器１０２との側壁に沿って斜上方向に持上がり、下降する渦巻運動を行ないながら、周壁に沿って被乾燥物通路１０５を環状に移動する。このとき被乾燥物は水平方向の移動および上下方向の跳躍移動となり、乾燥と撹拌が行われる。
【０００６】
【発明が解決しようとする課題】
しかしながら、このような従来の振動乾燥装置においては被乾燥物は水平方向の移動および上下方向の跳躍移動を行ないながら被乾燥物通路を環状に移動するため、被乾燥物が水分を含有していると被乾燥物が共同して同時移動し団塊（ブロック）になり乾燥に長時間かかる不具合及び団塊になるため均一な混合、分散、撹拌が行なわれなかったり、中心部の処理が悪くなることがあり、均一な品質の乾燥製品とならないことが発生する課題がある。
【０００７】
特に、被乾燥物（被処理物）が粉末状の場合、ある水分範囲では、均一な粉末になる直前に粒子が塊（ブロック）になることがあり、乾燥がそれなりに進めば粉末になるが、一旦そのような塊（ブロック）が形成されると乾燥に長時間かかったり、粉末の中にダマが残り品質が不均一になる、等の課題がある。
また、図７に示すように振動方向は矢印のようになるため、被乾燥物が粉体の場合には、被乾燥物Ｇが図７のように偏ってしまう。そのため、伝熱が不均一になるし、伝熱効果も減少する等の課題がある。
【０００８】
本発明は、このような課題を解決するためになされたものであり、その目的は、被乾燥物の均一な混合、分散、撹拌を行ない、均一に加熱乾燥して、均一な品質に乾燥処理する振動乾燥装置を提供することにある。
【０００９】
【課題を解決するための手段】
前記課題を解決するため、本発明の振動乾燥装置は、被乾燥物を乾燥する容器と、この容器を囲繞し容器の側壁に熱媒を供給するように設けられたジャケットと、このジャケットに熱媒を導入および排出する熱媒入口および熱媒出口と、前記容器内において底部中央から立設され容器側壁との間に環状の被乾燥物通路を形成するセンターピラーと、前記容器に振動を与えるように設けられた振動発生装置と、よりなる振動乾燥装置において、容器内の底面に、センターピラーを中心とする同心円状に連続ベーンプレートが、一列又は複数列設けられ、該連続ベーンプレートには、貫通穴が設けられていることを特徴とする。
【００１０】
また、本発明の振動乾燥装置は、被乾燥物を乾燥する容器と、この容器を囲繞し容器の側壁に熱媒を供給するように設けられたジャケットと、このジャケットに熱媒を導入および排出する熱媒入口および熱媒出口と、前記容器内において底部中央から立設され容器側壁との間に環状の被乾燥物通路を形成するセンターピラーと、前記容器に振動を与えるように設けられた振動発生装置と、よりなる振動乾燥装置において、容器内の底面及び／又は側壁に、あるいはこれにセンターピラー周面も含め、連続ベーンプレートとリーフプレート又は短翼型ガイドプレートが組み合わせて設けられ、連続ベーンプレートには貫通穴が設けられていることを特徴とする。
【００１１】
【発明の実施の形態】
以下、本発明の振動乾燥装置を図面に示す実施の形態について具体的に説明する。図１は本発明の実施の形態の一部を断面で示す正面図、図２は本発明の実施の形態の容器内を示す拡大平面図である。
【００１２】
同図において、１は振動乾燥装置を示し、被乾燥物（被処理物）を乾燥する容器２とこの容器２を囲繞し容器２の側壁に熱媒を供給するように設けられたジャケット３と、このジャケット３に熱媒を導入および排出する熱媒入口１４およびドレン（熱媒出口）１５と、前記容器２内において底部中央から立設され側壁との間に環状の被乾燥物通路５を形成するセンターピラー４と、前記容器２内の底面に設けられた連続ベーンプレート１６と、前記容器２に振動を与えるように設けられた振動発生装置１８、１９とで大略構成されている。
【００１３】
容器２は堅型円筒状で、外周が熱媒入口１４及びドレン（熱媒出口）１５を有するジャケット３で囲繞されており、熱媒入口１４を介してジャケット３に供給される熱媒により容器２の外周（側壁）が加熱され、容器２内の被乾燥物が加熱乾燥される。この容器２は、防振ゴム等の弾性体７を介して支柱８上に支持されており、該支柱８は、支台６上に立設されている。この支台６には緩衝および防振のためのばね１３が介装されている。
【００１４】
容器２の上部には、被乾燥物の投入口９および排気口１２が設けられ、また、容器２の底部には排出弁１０を介して被乾燥物の排出口１１が設けられている。前記排気口１２には減圧装置を連結し、容器２内を減圧するようにしても良い。また、容器２の上部は開閉自在の蓋体になっていてもよい。この場合は蓋体に被乾燥物の投入口９および排気口１２が設けられる。
【００１５】
前記容器２内の底部中央に立設されたセンターピラー４で側壁との間に環状の被乾燥物通路５が形成されるため、センターピラー４にも熱媒を供給するようにするのが好ましい。センターピラー４に熱媒を供給すると被乾燥物通路５を移動する被乾燥物の加熱乾燥を一層促進させることができる。この実施の形態においては、センターピラー４に熱媒を供給できる例を示しており、熱媒入口１４より流入する熱媒は、ジャケット３を経由してセンターピラー４内を通りドレン（熱媒出口）１５から流出する。
【００１６】
また、容器２内の底面には、センターピラー４を中心とする同心円上に連続ベーンプレート１６、１６が設けられている。本例において連続ベーンプレート１６、１６が２列で示してあるが、これは一列でも３列以上でもよい。この連続ベーンプレート１６には、下端に適数の貫通穴１７が設けられている。この貫通穴１７は、被乾燥物が粉体のような場合に、粉抜きするものである。連続ベーンプレート１６の高さは、被乾燥物の種類や強度等を考慮して決定する。
【００１７】
さらに、容器２下方の両側に設けられた２個の振動発生装置１８、１９は、容器２の周壁に沿って傾斜方向に振動を与えているように互に交差する方向に設けられている。即ち、振動発生装置１８、１９は、容器２の下部両側に互に交差する方向に傾斜して取付けられたモータの回転軸の両端に重錘を取付けて、水平方向の分力を打消し合うように回転させ、それぞれの重錘により容器２にその周壁に沿った傾斜方向の直線振動を与えるようになっている。
【００１８】
以上のように構成された振動乾燥装置１においては、容器２内に投入口９から被乾燥物を投入し、熱媒入口１４から熱媒をジャケット３及びセンターピラー４に導入し、ドレン（熱媒出口）１５から排出して、容器２内の被乾燥物を間接加熱する。
【００１９】
そして、この状態で振動発生装置１８、１９を駆動すると、振動発生装置１８、１９はそれぞれ被乾燥物通路５に対して一定の傾斜方向の振動を容器２に与える。この容器２の振動により被乾燥物は周壁に沿った傾斜方向の振動を与えられ、容器２との側壁に沿って斜上方に持ち上がり、容器２の中央部に向かって下降する渦巻運動を行いながら、センターピラー４を中心に被乾燥物通路５を環状に移動する。
【００２０】
この時、この発明では、センターピラー４を中心とする同心円上に連続ベーンプレート１６が設けられているので、被乾燥物通路５が分割され、センターピラー４と連続ベーンプレート１６との間、連続ベーンプレート１６と１６の間および連続ベーンプレート１６と容器２の側壁の間が、被乾燥物の通路となるから、その通路内で被乾燥物はセンターピラー４、連続ベーンプレート１６、１６および容器２の側壁に沿って持ち上がり下降する渦巻運動をする。従って、被乾燥物は図７に示すように偏よることなく、常に均一なレベルで混合、分散、撹拌が行なわれるし、連続ベーンプレート１６からも伝熱される効果と相乗して均一に加熱されることになり、短時間で、均一な品質に乾燥処理することが可能となる。
【００２１】
図３及び図４は、本発明の他の実施の形態を示す一部断面の正面図及びその容器内を示す拡大平面図である。この実施の形態は、容器２内の底面及び側壁に、リーフプレート２１を断続的に設けたものであり、他は前記実施の形態と同様であるので同一構成要素には同一符号を付して詳細な説明は省略する。
【００２２】
前記リーフプレート２１は、直線状のものでも、円弧状のものでもよく、容器２の底面においてはセンターピラー４を中心とする同心円上に位置して断続的に列設され、側壁においては規則的な断続で列設されても、不規則な断続で設けられてもよい。このリーフプレート２１の数、高さ及び長さは、被乾燥物の種類や強度を考慮して決定する。
【００２３】
しかして、この発明では、リーフプレート２１が設けられているため、被乾燥物が、容器２の振動により容器２との側壁に沿って斜上方に持ち上がり、容器２の中央部方向に下降する渦巻運動を行いながらセンターピラー４を中心に被乾燥物通路５を環状に移動する際、被乾燥物はリーフプレート２１に当たり（衝突）ながら渦巻運動を行うことになる。従って、被乾燥物はリーフプレート２１で分散され、均一なレベルとなり、均一に伝熱されるし、リーフプレート２１からも伝熱されるため伝熱面積が増大し、伝熱効果も向上することとなり、短時間で均一な品質に乾燥処理することができる。
【００２４】
図５及び図６は、本発明のさらに他の実施の形態を示す一部断面の正面図及びその容器内を示す平面図である。この実施の形態は、容器２内の底面、側壁及びセンターピラー４の外周面に、短翼型ガイドプレート２２を設けたものであり、他は前記実施の形態と同様であるので同一構成要素には同一符号を付して詳細な説明は省略する。本例は被乾燥物が液状物の場合に適用して最適となる。
【００２５】
前記短翼型ガイドプレート２２は、容器２内の底面においては、センターピラー４を中心とする同心円上に位置して、その接線方向に向いて列設され、側壁及びセンターピラー４の外周面においては、周面に沿って規則的又は不規則的に設けられる。この短翼型ガイドプレート２２の数、高さ及び長さ等は、被乾燥物の種類や強度を考慮して最適なものを選択する。
【００２６】
しかして、この発明では、短翼型ガイドプレート２２が設けられているため、被乾燥物が容器２の振動により容器２との側壁に沿って斜上方の持ち上がり、容器２の中央方向に下降する渦巻運動を行いながらセンターピラー４を中心に被乾燥物通路５を環状に移動する際、被乾燥物は短翼型ガイドプレート２２に衝突しながら渦巻運動を行うことになる。従って、被乾燥物は短翼型ガイドプレート２２で分散、撹拌され、均一に伝熱されるし、短翼型ガイドプレート２２からも伝熱されるため伝熱面積が増大し、伝熱効果も向上することとなり、短時間で均一な品質に乾燥処理することができる。特に、短翼型ガイドプレートは、センターピラー４を中心とする同心円上の接線方向に向いて設けられているため、液状物の乾燥処理に最適となる。
【００２７】
また、本発明は、前記した連続ベーンプレート１６、リーフプレート２１及び短翼型ガイドプレート２２の内から選択して組み合せて構成してもよく、この場合でも前記実施の形態と同様の作用、効果を奏する。
なお、前記実施の形態における連続ベーンプレート１６、リーフプレート２１及び短翼型ガイドプレート２２に限定されるものではなく、本発明は、容器２に振動を与えたとき、容器２内の被乾燥物が運動するが、その際被乾燥物が衝突して分散され偏よりが防止される複数の突出体であればよく、この要旨を逸脱しない範囲での種々の変形が許される。
【００２８】
【発明の効果】
以上詳細に説明したとおり、本発明は、容器内の底面及び／又は側壁に、あるいはこれにセンターピラー周面も含め、振動を与えたとき容器内の被乾燥物が衝突して分散され偏よりが防止される複数の連続ベーンプレートが設けられ、あるいは、連続ベーンプレートとリーフプレート又は翼型ガイドプレートが組み合わせて設けられ、前記連続ベーンプレートには貫通穴が設けられているので、被乾燥物が容器の振動で運動するとき、複数の突出体に衝突して分散され偏よりが防止され均一なレベルとなり、均一に伝熱されるし、連続ベーンプレートとリーフプレート又は翼型ガイドプレートからも伝熱されるため伝熱面積が増大し、伝熱効果も向上することとなり、短時間で均一な品質に乾燥処理することができる。
また、連続ベーンプレートには貫通穴が設けられているので、被乾燥物が粉体のような場合にも、粉抜きが容易に行える。
【００２９】
しかも、被乾燥物が運動の際、突出体に衝突して分散、撹拌されるから、粉体状の被乾燥物でも団塊（ブロック）になることがなく、ダマも少なく、短時間での均一な品質の乾燥処理が可能となる。
【図面の簡単な説明】
【図１】  本発明の実施の形態の一部を断面で示す正面図である。
【図２】  本発明の実施の形態の容器内を断面で示す拡大平面図である。
【図３】  本発明の他の実施の形態を示す一部断面の正面図である。
【図４】  本発明の他の実施の形態の容器内を示す拡大平面図である。
【図５】  本発明のさらに他の実施の形態を示す一部断面の正面図である。
【図６】  本発明のさらに他の実施の形態の容器内を示す拡大平面図である。
【図７】  従来例の一部を断面で示す正面図である。
【符号の説明】
１  振動乾燥装置
２  容器
３  ジャケット
４  センターピラー
５  被乾燥物通路
９  投入口
１１  排出口
１２  排気口
１４  熱媒入口
１５  ドレン（熱媒出口）
１６  連続ベーンプレート
１７  貫通穴
１８、１９  振動発生装置
２１  リーフプレート
２２  短翼型ガイドプレート
【図１】
0004327338.tif 000002
【図２】
0004327338.tif 000003
【図３】
0004327338.tif 000004
【図４】
0004327338.tif 000005
【図５】
0004327338.tif 000006
【図６】
0004327338.tif 000007
【図７】
0004327338.tif 000008